(57)【要約】【課題】電線等から伝わってきた水がハウジング側に浸入しようとしても外に排水することができる電線カバー付きコネクタを提供する。【解決手段】電線４０に接続された端子４１が収容される端子収容室２２を有し、後面２１ｂから電線４０を引き出すハウジング２０と、ハウジング２０の後面２１ｂ側に装着される筒状の電線カバー３０と、を備えた電線カバー付きコネクタ１０であって、ハウジング２０の側面２１ｃの後側と電線カバー３０の内面３１ａの前側との間に水抜き通路Ａが設けられている。【選択図】図６
2020149939.tif 000002
【特許請求の範囲】
【請求項１】
電線に接続された端子が収容される端子収容室を有し、後面から電線を引き出すハウジングと、
前記ハウジングの後面側に装着される筒状の電線カバーと、
を備えた電線カバー付きコネクタであって、
前記ハウジングの側面の後側と前記電線カバーの内面の前側との間に水抜き通路が設けられていることを特徴とする電線カバー付きコネクタ。
【請求項２】
請求項１記載の電線カバー付きコネクタであって、
前記電線カバーは、前記ハウジングの後面側に装着される本体カバーと、前記本体カバーと合体して筒状となって前記電線を覆う蓋カバーと、を有し、
前記本体カバーの内面の前側と前記ハウジングの側面の後側との間に前記水抜き通路が設けられていることを特徴とする電線カバー付きコネクタ。
【発明の詳細な説明】
【技術分野】
【０００１】
本発明は、電線カバー付きコネクタに関する。
【背景技術】
【０００２】
この種の電線カバー付きコネクタとして、特許文献１に開示されたものがある。この電線カバー付きコネクタ１は、図８、図９に示すように、電線７に接続された端子８が収容される端子収容室３を有し、後面２ａから電線７を引き出すハウジング２と、このハウジング２の後面２ａ側に装着される筒状の電線カバー４と、を備えている。この電線カバー４は、筒状のカバー本体５と、このカバー本体５にヒンジ５ａを介して設けられた一対の開閉部材６，６と、を有している。この一対の開閉部材６，６の内側面の後側には、蛇腹状のコルゲートチューブ９を係止する係止部６ａを有している。
【先行技術文献】
【特許文献】
【０００３】
【特許文献１】特開２００２−２５６８４号公報
【発明の概要】
【発明が解決しようとする課題】
【０００４】
しかしながら、前記従来の電線カバー付きコネクタ１では、電線７やコルゲートチューブ９より伝わってきた水がハウジング２の肉抜き溝２ｂに溜まってしまい、水を抜くことができない。
【０００５】
そこで、本発明は、前記した課題を解決すべくなされたものであり、電線等から伝わってきた水がハウジング側に浸入しようとしても外に排水することができる電線カバー付きコネクタを提供することを目的とする。
【課題を解決するための手段】
【０００６】
本発明は、電線に接続された端子が収容される端子収容室を有し、後面から電線を引き出すハウジングと、前記ハウジングの後面側に装着される筒状の電線カバーと、を備えた電線カバー付きコネクタであって、前記ハウジングの側面の後側と前記電線カバーの内面の前側との間に水抜き通路が設けられていることを特徴とする。
【発明の効果】
【０００７】
本発明によれば、電線等から伝わってきた水がハウジング側に浸入しようとしても水抜き通路を通して外に排水することができる。
【図面の簡単な説明】
【０００８】
【図１】本発明の一実施形態の電線カバー付きコネクタを示す斜視図である。
【図２】上記電線カバー付きコネクタの電線カバーを装着する前の状態を示す斜視図である。
【図３】上記電線カバー付きコネクタの平面図である。
【図４】上記電線カバー付きコネクタの側面図である。
【図５】図３中Ｘ−Ｘ線に沿う断面図である。
【図６】図４中Ｙ−Ｙ線に沿う断面図である。
【図７】図４中Ｚ−Ｚ線に沿う断面図である。
【図８】従来の電線カバー付きコネクタの分解斜視図である。
【図９】上記従来の電線カバー付きコネクタの断面図である。
【発明を実施するための形態】
【０００９】
以下、本発明の一実施形態を図面に基づいて説明する。
【００１０】
図１は本発明の一実施形態の電線カバー付きコネクタを示す斜視図、図２は電線カバー付きコネクタの電線カバーを装着する前の状態を示す斜視図、図３は電線カバー付きコネクタの平面図、図４は電線カバー付きコネクタの側面図、図５は図３中Ｘ−Ｘ線に沿う断面図、図６は図４中Ｙ−Ｙ線に沿う断面図、図７は図４中Ｚ−Ｚ線に沿う断面図である。
【００１１】
図１〜図７に示すように、電線カバー付きコネクタ１０は、後面（背面）２１ｂから電線４０が引き出される合成樹脂製の雌ハウジング（ハウジング）２０と、雌ハウジング２０の後面２１ｂ側に装着される合成樹脂製で筒状の電線カバー３０と、を備えている。
【００１２】
図５、図６に示すように、雌ハウジング２０は、電線４０に接続された雌端子（端子）４１が収容される２つの端子収容室２２を有したハウジング本体２１と、このハウジング本体２１の中央に一体突出形成され、内部に図示しない相手方の雄コネクタの雄ハウジングが嵌合される前面側と上面側が開口したフード部２３と、ハウジング本体２１の前側に嵌め込まれ、図示しない相手側の雄端子が差し込まれる端子挿入孔２４ａと雌端子４１を係止するランス２４ｂとを有する筒状のフロントホルダ２４と、を備えている。
【００１３】
図６に示すように、ハウジング本体２１の端子収容室２２には、後面２１ｂに設けられた端子収容室２２の円形の開口部２２ｂから電線４０の端末に接続された雌端子４１が収容され、各端子収容室２２と電線４０との間は、電線４０に装着されたゴム栓４２によりシールされる。尚、ハウジング本体２１の前面２１ａには、図示しない相手側の雄端子が差し込まれる端子挿入孔２２ａが端子収容室２２に連通するように形成されている。
【００１４】
また、図２に示すように、ハウジング本体２１の両側面２１ｃ，２１ｃの後端側には、カバー係止部としての凹状のカバー係止溝２５，２５が形成されている。また、ハウジング本体２１の天井面２１ｄには、相手方の雄ハウジングとの間を嵌合状態にロックするためのロックアーム２６が設けられている。このロックアーム２６の操作端２６ａは、フード部２３の上面開口の後側に設けられている。さらに、ハウジング２０の下面２１ｅの後端には、カバー取付部としてのカバー取付突起２７が設けられている。
【００１５】
図１、図２、図５、図７に示すように、電線カバー３０は、ハウジング本体２１の両側面２１ｃ，２１ｃの凹状のカバー係止溝２５，２５に取り付けられる略半円筒状の本体カバー３１と、この本体カバー３１と合体して筒状となった状態でハウジング２０の下面２１ｅのカバー取付突起２７に取り付けられ、電線４０が貫通したコルゲートチューブ４５の前端側を覆う略半円筒状の蓋カバー３５と、本体カバー３１と蓋カバー３５との間に設けられたヒンジ３９と、を有している。
【００１６】
図２、図５に示すように、本体カバー３１の前側には、一対の取付部３２，３２が平行に垂直に延びるように一体形成されている。この各取付部３２の内側には、ハウジング本体２１の凹状のカバー係止溝２５に嵌め込まれるハウジング係止部としての凸状のハウジング係止突起３２ａが設けられている。また、本体カバー３１の内面３１ａには、コルゲートチューブ４５の蛇腹状の凸部４５ａに係止される凹部３３が設けられている。さらに、本体カバー３１のヒンジ３９と反対側の端部には、ロック穴３４が設けられている。
【００１７】
図６に示すように、ハウジング本体２１の両側面２１ｃ，２１ｃの後側に装着される本体カバー３１の内面３１ａの前両側には、半環状の段差状凹部３１ｂが形成されている。この本体カバー３１の内面３１ａの段差状凹部３１ｂとハウジング本体２１の両側面２１ｃ，２１ｃの隙間（クリアランス）が水抜き通路Ａになっている。この水抜き通路Ａは、本体カバー３１の内面３１ａのコルゲートチューブ保持用の凹部３３の内周面とコルゲートチューブ４５の外周面との間の隙間Ｂに連通している。また、本体カバー３１の内面３１ａの段差状凹部３１ｂとハウジング本体２１の両側面２１ｃ，２１ｃの隙間（水抜き通路Ａ）は、電線カバー３０が雌ハウジング２０のハウジング本体２１左右のカバー係止溝２５，２５と下側のカバー取付突起２７で取り付けられるようにしたことで、ハウジング本体２１の両側面２１ｃ，２１ｃと電線カバー３０の本体カバー３１の内面３１ａとの間に設けることが可能となっている。
【００１８】
図５に示すように、蓋カバー３５の内面３５ａの前側には、ハウジング本体２１のカバー取付突起２７に嵌め込まれるハウジング取付部としての凹状のハウジング取付溝３６が設けられている。また、蓋カバー３５の内面３５ａには、コルゲートチューブ４５の蛇腹状の凸部４５ａに係止される凹部３７が設けられている。さらに、図２に示すように、蓋カバー３５のヒンジ３９と反対側の端部には、ロック穴３４にロックされるロック突起部３８が設けられている。尚、本体カバー３１と蓋カバー３５が合体して筒状になったときに、本体カバー３１の外側にある取付部３２の下端側に形成された切欠き部３２ｂに、蓋カバー３５の外側の前部に形成された段差部３６ａが嵌め込まれるようになっている。
【００１９】
以上実施形態の電線カバー付きコネクタ１０によれば、コルゲートチューブ４５の内周面や電線４０の外周面を伝わって雌ハウジング２０のハウジング本体２１の後面２１ｂ側に水が浸入した場合に、ハウジング本体２１の後面２１ｂの端子収容室２２の開口部２２ｂ側に水が溜まらずに、ハウジング本体２１の両側面２１ｃ，２１ｃと電線カバー３０の本体カバー３１の内面３１ａとの間に設けられた水抜き通路Ａから外部へ排水される。これにより、ハウジング本体２１の端子収容室２２内のゴム栓４２の周囲に水溜まりが起きることはなく、コルゲートチューブ４５や電線４０からハウジング本体２１の端子収容室２２内への水の浸入を確実に防ぐことができる。
【符号の説明】
【００２０】
１０  電線カバー付きコネクタ
２０  雌ハウジング（ハウジング）
２１ｂ  後面
２１ｃ  側面
２２  端子収容室
３０  電線カバー
３１  本体カバー
３１ａ  内面
３５  蓋カバー
４０  電線
４１  雌端子（端子）
Ａ  水抜き通路
【図１】
2020149939.tif 000003
【図２】
2020149939.tif 000004
【図３】
2020149939.tif 000005
【図４】
2020149939.tif 000006
【図５】
2020149939.tif 000007
【図６】
2020149939.tif 000008
【図７】
2020149939.tif 000009
【図８】
2020149939.tif 000010
【図９】
2020149939.tif 000011